(57)【要約】【課題】本発明の課題は、画像をプリントした後、再度画像をプリントする際に、より効率良くプリントすることができる写真撮影装置を提供する。【解決手段】写真撮影装置に、画像データに基づく画像を記録媒体にプリントした後に再度当該画像を記録媒体にプリントする指示を入力するための操作部と、第１プリンタ又は第２プリンタのプリント可能残量を検出する第１センサ又は第２センサと、プリント可能か否かを判断する判断手段（ＣＰＵ，プリント可否判断プログラム４Ｄ）と、判断手段によりプリント可能と判断された場合に、所定の料金を徴収する徴収手段（ＣＰＵ，コインメック制御プログラム４Ｆ，コインメック）と、徴収手段により所定の料金が徴収されたことに基づいて、画像データに基づく画像を第１プリンタ又は第２プリンタにより記録媒体にプリントさせるプリント制御手段（ＣＰＵ，焼き増しプリントプログラム４Ｇ）と、を備えた。【選択図】図３
2007241536.tif 000002
【特許請求の範囲】
【請求項１】
画像データに基づく画像を記録媒体にプリントするプリント手段を備える写真撮影装置において、
前記画像データに基づく画像を前記プリント手段により記録媒体にプリントした後に再度当該画像を記録媒体にプリントする指示を入力するための指示手段と、
前記プリント手段のプリント可能残量を検出する検出手段と、
前記指示手段により、再度前記画像を記録媒体にプリントする指示が入力された場合に、前記検出手段により検出されたプリント可能残量に基づいて、プリント可能か否かを判断する判断手段と、
前記判断手段によりプリント可能と判断された場合に、所定の料金を徴収する徴収手段と、
前記徴収手段により所定の料金が徴収されたことに基づいて、前記画像データに基づく画像を前記プリント手段により記録媒体にプリントさせるプリント制御手段と、
を備えることを特徴とする写真撮影装置。
【請求項２】
前記判断手段によりプリント不可能と判断された場合に、前記画像データを検索するための検索情報を生成し、前記画像データと前記検索情報とを関連づけて記憶手段に記憶させる記憶制御手段と、
前記検索情報を入力するための入力手段と、
前記入力手段により前記検索情報が入力された場合に、前記検索情報に対応する前記画像データを前記記憶手段から検索し、検索した前記画像データに基づく画像を前記プリント手段により記録媒体にプリントさせる記憶画像プリント制御手段と、
を備えることを特徴とする請求項１に記載の写真撮影装置。
【請求項３】
前記記憶手段に前記画像データを記憶させるか否かを選択するための選択手段を備え、
前記記憶制御手段は、前記選択手段により前記画像データを記憶させることが選択された場合に、前記画像データと前記検索情報とを対応づけて前記記憶手段に記憶させることを特徴とする請求項２に記載の写真撮影装置。
【請求項４】
前記記憶制御手段により生成された前記検索情報を記録媒体にプリントする検索情報プリント手段を備えることを特徴とする請求項２又は３に記載の写真撮影装置。
【請求項５】
前記検索情報は、前記画像データを識別するための識別情報と、所定の顧客情報とを有することを特徴とする請求項２〜４の何れか一項に記載の写真撮影装置。
【請求項６】
前記プリント手段は、第１記録媒体に前記画像データに基づく画像をプリントする第１プリント手段と、第２記録媒体に前記画像データに基づく画像をプリントする第２プリント手段と、を備え、
前記検出手段は、前記第１プリント手段のプリント可能残量を検出する第１検出手段と、前記第２プリント手段のプリント可能残量を検出する第２検出手段と、を備え、
前記判断手段は、前記第１検出手段と前記第２検出手段との各々により検出されたプリント可能残量に基づいて、前記第１プリント手段と前記第２プリント手段との各々によるプリントが可能か否かを判断し、
前記写真撮影装置は、
前記判断手段により、前記第１プリント手段によるプリントが可能か否かが判断され、当該第１プリント手段によるプリントが不可能と判断された後、前記第２プリント手段によるプリントが可能か否かが判断され、当該第２プリント手段によるプリントが可能と判断された場合に、前記画像データに基づく画像をプリントさせるプリント手段を第１プリント手段から第２プリント手段に切り換える切換手段を備えることを特徴とする請求項１〜５の何れか一項に記載の写真撮影装置。
【請求項７】
サーバと通信回線を介して接続され、
前記検出手段により検出される前記プリント手段のプリント可能残量が所定値以下となった場合に、前記サーバに前記プリント手段のプリント可能残量が所定値以下である旨を通知する通知手段を備えることを特徴とする請求項１〜６の何れか一項に記載の写真撮影装置。
【請求項８】
サーバと通信回線を介して接続され、画像データに基づく画像を記録媒体にプリントするプリント手段を備える写真撮影装置において、
前記画像データに基づく画像を前記プリント手段により記録媒体にプリントした後に再度当該画像を記録媒体にプリントする指示を入力するための指示手段と、
前記プリント手段のプリント可能残量を検出する検出手段と、
前記指示手段により、再度前記画像データに基づく画像を記録媒体にプリントする指示が入力された場合に、前記検出手段により検出されたプリント可能残量に基づいて、プリント可能か否かを判断する判断手段と、
前記判断手段によりプリント可能と判断された場合に、所定の料金を徴収する徴収手段と、
前記徴収手段により所定の料金が徴収されたことに基づいて、前記画像データに基づく画像を前記プリント手段により記録媒体にプリントさせるプリント制御手段と、
前記判断手段によりプリント不可能と判断された場合に、前記画像データを検索するための検索情報を生成し、前記画像データと前記検索情報とを前記サーバに送信する第１送信制御手段と、
前記検索情報を入力するための入力手段と、
前記入力手段により前記検索情報が入力された場合に、前記検索情報を前記サーバに送信する第２送信制御手段と、
前記サーバから受信した画像データに基づく画像を前記プリント手段により記録媒体上にプリントさせる受信画像プリント制御手段と、
を備え、
前記サーバは、
前記画像データと、前記画像データを検索するための検索情報とを関連づけて記憶する記憶手段と、
前記写真撮影装置から前記検索情報を受信した場合に、前記検索情報に対応する前記画像データを前記記憶手段から検索し、検索した前記画像データを前記写真撮影装置に送信する第３送信制御手段と、
を備えることを特徴とする写真撮影装置。
【発明の詳細な説明】
【技術分野】
【０００１】
本発明は、写真撮影装置にかかるものである。
【背景技術】
【０００２】
従来、免許証やパスポート，履歴書等に貼付するための証明写真等を撮影するためのボックス型の写真撮影装置が知られている。そして、このうような写真撮影装置において、一度撮影した画像データを識別情報と関連づけて記憶し、顧客が当該識別情報を入力することにより、当該画像データに基づく画像を焼き増しプリントするものも知られている（例えば、特許文献１）。
【特許文献１】特開２００３−０９８５９０号公報
【発明の開示】
【発明が解決しようとする課題】
【０００３】
しかしながら、現行の写真撮影装置では、まず焼き増し料金を徴収してから焼き増しプリントを行うので、焼き増しプリントの途中に、画像をプリントするためのペーパー等がなくなってしまった場合には、料金の精算等をしなくてはならず、無駄な工程を必要とし、顧客に迷惑をかけてしまうという問題があり、効率が悪い。特許文献１の写真撮影装置では、写真撮影の前で料金を徴収しているので、このような問題を解決することができない。
【０００４】
本発明の課題は、画像をプリントした後、再度画像をプリントする際に、より効率良くプリントすることができる写真撮影装置を提供することである。
【課題を解決するための手段】
【０００５】
請求項１に記載の発明は、画像データに基づく画像を記録媒体にプリントするプリント手段を備える写真撮影装置において、
前記画像データに基づく画像を前記プリント手段により記録媒体にプリントした後に再度当該画像を記録媒体にプリントする指示を入力するための指示手段と、
前記プリント手段のプリント可能残量を検出する検出手段と、
前記指示手段により、再度前記画像を記録媒体にプリントする指示が入力された場合に、前記検出手段により検出されたプリント可能残量に基づいて、プリント可能か否かを判断する判断手段と、
前記判断手段によりプリント可能と判断された場合に、所定の料金を徴収する徴収手段と、
前記徴収手段により所定の料金が徴収されたことに基づいて、前記画像データに基づく画像を前記プリント手段により記録媒体にプリントさせるプリント制御手段と、
を備えることを特徴としている。
【０００６】
請求項２に記載の発明は、請求項１に記載の写真撮影装置において、
前記判断手段によりプリント不可能と判断された場合に、前記画像データを検索するための検索情報を生成し、前記画像データと前記検索情報とを関連づけて記憶手段に記憶させる記憶制御手段と、
前記検索情報を入力するための入力手段と、
前記入力手段により前記検索情報が入力された場合に、前記検索情報に対応する前記画像データを前記記憶手段から検索し、検索した前記画像データに基づく画像を前記プリント手段により記録媒体にプリントさせる記憶画像プリント制御手段と、
を備えることを特徴としている。
【０００７】
請求項３に記載の発明は、請求項２に記載の写真撮影装置において、
前記記憶手段に前記画像データを記憶させるか否かを選択するための選択手段を備え、
前記記憶制御手段は、前記選択手段により前記画像データを記憶させることが選択された場合に、前記画像データと前記検索情報とを対応づけて前記記憶手段に記憶させることを特徴としている。
【０００８】
請求項４に記載の発明は、請求項２又は３に記載の写真撮影装置において、
前記記憶制御手段により生成された前記検索情報を記録媒体にプリントする検索情報プリント手段を備えることを特徴としている。
【０００９】
請求項５に記載の発明は、請求項２〜４の何れか一項に記載の写真撮影装置において、
前記検索情報は、前記画像データを識別するための識別情報と、所定の顧客情報とを有することを特徴としている。
【００１０】
請求項６に記載の発明は、請求項１〜５の何れか一項に記載の写真撮影装置において、
前記プリント手段は、第１記録媒体に前記画像データに基づく画像をプリントする第１プリント手段と、第２記録媒体に前記画像データに基づく画像をプリントする第２プリント手段と、を備え、
前記検出手段は、前記第１プリント手段のプリント可能残量を検出する第１検出手段と、前記第２プリント手段のプリント可能残量を検出する第２検出手段と、を備え、
前記判断手段は、前記第１検出手段と前記第２検出手段との各々により検出されたプリント可能残量に基づいて、前記第１プリント手段と前記第２プリント手段との各々によるプリントが可能か否かを判断し、
前記写真撮影装置は、
前記判断手段により、前記第１プリント手段によるプリントが可能か否かが判断され、当該第１プリント手段によるプリントが不可能と判断された後、前記第２プリント手段によるプリントが可能か否かが判断され、当該第２プリント手段によるプリントが可能と判断された場合に、前記画像データに基づく画像をプリントさせるプリント手段を第１プリント手段から第２プリント手段に切り換える切換手段を備えることを特徴としている。
【００１１】
請求項７に記載の発明は、請求項１〜６の何れか一項に記載の写真撮影装置において、
サーバと通信回線を介して接続され、
前記検出手段により検出される前記プリント手段のプリント可能残量が所定値以下となった場合に、前記サーバに前記プリント手段のプリント可能残量が所定値以下である旨を通知する通知手段を備えることを特徴としている。
【００１２】
請求項８に記載の発明は、サーバと通信回線を介して接続され、画像データに基づく画像を記録媒体にプリントするプリント手段を備える写真撮影装置において、
前記画像データに基づく画像を前記プリント手段により記録媒体にプリントした後に再度当該画像を記録媒体にプリントする指示を入力するための指示手段と、
前記プリント手段のプリント可能残量を検出する検出手段と、
前記指示手段により、再度前記画像データに基づく画像を記録媒体にプリントする指示が入力された場合に、前記検出手段により検出されたプリント可能残量に基づいて、プリント可能か否かを判断する判断手段と、
前記判断手段によりプリント可能と判断された場合に、所定の料金を徴収する徴収手段と、
前記徴収手段により所定の料金が徴収されたことに基づいて、前記画像データに基づく画像を前記プリント手段により記録媒体にプリントさせるプリント制御手段と、
前記判断手段によりプリント不可能と判断された場合に、前記画像データを検索するための検索情報を生成し、前記画像データと前記検索情報とを前記サーバに送信する第１送信制御手段と、
前記検索情報を入力するための入力手段と、
前記入力手段により前記検索情報が入力された場合に、前記検索情報を前記サーバに送信する第２送信制御手段と、
前記サーバから受信した画像データに基づく画像を前記プリント手段により記録媒体上にプリントさせる受信画像プリント制御手段と、
を備え、
前記サーバは、
前記画像データと、前記画像データを検索するための検索情報とを関連づけて記憶する記憶手段と、
前記写真撮影装置から前記検索情報を受信した場合に、前記検索情報に対応する前記画像データを前記記憶手段から検索し、検索した前記画像データを前記写真撮影装置に送信する第３送信制御手段と、
を備えることを特徴としている。
【発明の効果】
【００１３】
請求項１に記載の発明によれば、焼き増しプリントができるか否かを確認してから焼き増し料金を徴収することとなって、焼き増し料金を徴収してから焼き増しプリントできるか否かが判明する従来の場合における焼き増し料金を精算する無駄な工程を行うことがなくなることとなり、画像をプリントした後、再度画像をプリントする際に、より効率良くプリントすることができる。
【００１４】
請求項２に記載の発明によれば、請求項１に記載の発明と同様の効果が得られることは勿論のこと、特に、記憶手段に記憶された画像データに基づいて再プリントを行うことができることとなって、焼き増しプリントをするためのペーパー等がなくなってしまった場合でも、再度撮影等を行って新たな画像データを得なくとも、記憶手段に記憶された画像データに基づく画像を再度プリントすることができることとなって、より使い勝手のよい写真撮影装置を提供できる。
【００１５】
請求項３に記載の発明によれば、請求項２に記載の発明と同様の効果が得られることは勿論のこと、特に、顧客が画像データの記憶を望まない場合には、当該画像データを記憶手段に記憶することがなくなることとなって、記憶手段の記憶容量を効率良く使用することができる。
【００１６】
請求項４に記載の発明によれば、請求項２又は３に記載の発明と同様の効果が得られることは勿論のこと、特に、検索情報プリント手段により検索情報がプリントされた記録媒体により顧客が当該検索情報を忘れてしまうことを防止でき、より確実に再プリントを行うことができる。
【００１７】
請求項５に記載の発明によれば、請求項２〜４の何れか一項に記載の発明と同様の効果が得られることは勿論のこと、特に、識別情報及び顧客情報の組合せとすることで検索情報を複雑なものとすることができ、他人がいたずらに画像データを検索してしまうことを防ぐことができる。
【００１８】
請求項６に記載の発明によれば、請求項１〜５の何れか一項に記載の発明と同様の効果が得られることは勿論のこと、特に、第１プリント手段によるプリントが不可能となっても、第２プリント手段がプリント可能な場合には、第２プリント手段によるプリントに切り換えられるので、より確実に焼き増しプリントを行うことができる。
【００１９】
請求項７に記載の発明によれば、請求項１〜６の何れか一項に記載の発明と同様の効果が得られることは勿論のこと、特に、プリント手段がプリント不可能な状態で放置されることを防止することができ、プリント手段をより早くプリント可能な状態に復旧することができる。
【００２０】
請求項８に記載の発明によれば、焼き増しプリントができるか否かを確認してから焼き増し料金を徴収することとなって、焼き増し料金を徴収してから焼き増しプリントできるか否かが判明する従来の場合における焼き増し料金を精算する無駄な工程を行うことがなくなることとなり、画像をプリントした後、再度画像をプリントする際に、より効率良くプリントすることができる。
【００２１】
また、記憶手段に記憶された画像データに基づいて再プリントを行うことができることとなって、焼き増しプリントをするためのペーパー等がなくなってしまった場合でも、再度撮影等を行って新たな画像データを得なくとも、記憶手段に記憶された画像データに基づく画像を再度プリントすることができることとなって、より使い勝手のよい写真撮影装置を提供できる。
【発明を実施するための最良の形態】
【００２２】
以下、図面を参照して本発明の最良の形態について詳細に説明する。ただし、発明の範囲は、図示例に限定されない。また、限定的な表現をする場合があるが、これに限られるものではない。
【００２３】
（第１の実施形態）
本発明の第１の実施形態に係る写真撮影装置１００は、例えば、図１に示すように、ボックス型に形成されており、その外壁にはプリントされた写真を取り出す取出口Ｄが設置されており、ボックス内部（以下、撮影室Ｒという）には、例えば、被撮影者としての顧客Ｍが座れるように椅子Ｃが鉛直方向を軸として回転可能に設置されている。なお、椅子Ｃは回転により昇降可能に構成されている。また、例えば、顧客Ｍの上方、正面、背面にはそれぞれ照明用のストロボ１１ａが設置されており、更に顧客Ｍの正面には、操作手順やその他撮影に関する操作画面，操作画像等を表示する表示部１３，各種の操作信号を入力するための操作部１６，顧客Ｍが撮影室Ｒに入室したことを検出する入室センサＳ，撮影料金を徴収・精算するためのコインメック１４等が設置されている。
【００２４】
図２に、写真撮影装置１００の内部構成を示す。
写真撮影装置１００は、例えば、図２に示すように、本体部１０，ストロボユニット１１，デジタルカメラ１２，表示部１３，コインメック１４，スピーカ１５，操作部１６，第１プリンタ１７，第２プリンタ１８，第３プリンタ１９，通信部２０，裁断ユニット２１，入室センサＳ，第１センサｓ１，第２センサｓ２等を備えて構成され、写真撮影装置１００は、通信ネットワークＮを介してサーバ２００と接続されている。
【００２５】
ストロボユニット１１は、例えば、後述するＣＰＵ２からの発光指示の制御信号に従って、撮影室Ｒ内の各部に設置されたストロボ１１ａの発光タイミングや発光量を制御するものであり、ストロボ１１ａはストロボユニット１１の制御に応じて発光を行う。
【００２６】
デジタルカメラ１２は、例えば、シャッター、光学レンズ、ＣＣＤ（Charge  Coupled  Device）等の撮像素子、Ａ／Ｄ変換部等を備えて構成され、光学レンズを介して入力される被写体像を撮像素子により光電変換して画像信号を生成する。そして、Ａ／Ｄ変換部によりアナログ画像信号からデジタル画像データを得て、当該デジタル画像データをＣＰＵ２に出力する。なお、デジタルカメラ１２に代えて動画を記録可能なデジタルビデオカメラが備えられてもよい。
【００２７】
表示部１３は、例えば、ＬＣＤ（Liquid  Crystal  Display）等を備えて構成され、ＣＰＵ２から入力される指示信号に従って操作画面を表示したり、撮影画像のプレ表示を行う。
【００２８】
コインメック１４は、例えば、硬貨や紙幣の入金口、釣銭返金口等を備えた金銭登録機であり、ＣＰＵ２が後述するコインメック制御プログラム４Ｆを実行することにより制御されて、入金口から入金された金額と規定の撮影料金とから釣銭金額を算出し、釣銭金額に応じた硬貨又は紙幣を釣銭返金口に排出する。これにより、コインメック１４は徴収手段の一部として機能する。
【００２９】
スピーカ１５は、例えば、入力される音データに基づいてガイドアナウンス音声等を出力する。
【００３０】
操作部１６は、例えば、表示部１３と一体的に構成されるタッチパネル、撮影室の内壁に設けられた選択ボタン、撮影ボタン等の各種機能ボタン等のハードキー、数字キーが配列されたテンキー等を備えて構成され、顧客Ｍにより操作されることにより各種の操作信号をＣＰＵ２に入力する。例えば、操作部１６は、顧客Ｍにより操作されることにより、第１プリンタ１７又は第２プリンタ１８に画像データに基づく画像を記録媒体にプリントさせた後に再度当該画像を記録媒体にプリントする指示信号をＣＰＵ２に入力し、指示手段として機能する。また、操作部１６は、顧客Ｍにより操作されることにより、後述する画像データベース４Ａに記憶されている画像データを検索するための検索情報をＣＰＵ２に入力し、入力手段として機能する。また、操作部１６は、画像データを画像データベース４Ａに記憶させるか否かを選択する選択信号をＣＰＵ２に入力し、選択手段として機能する。
【００３１】
第１プリンタ１７は、例えば、ＣＰＵ２から入力される画像データに基づく画像を記録媒体上にプリントし、プリント手段の一部及び第１プリント手段として機能する。
また、第１プリンタ１７には、第１センサｓ１が接続されている。第１センサｓ１は、第１プリンタ１７のプリント可能残量を検出し、検出結果をＣＰＵ２に出力する。これにより、第１センサｓ１は、検出手段の一部及び第１検出手段として機能する。
第２プリンタ１８は、例えば、ＣＰＵ２から入力される画像データに基づく画像を記録媒体上にプリントし、プリント手段の一部及び第２プリント手段として機能する。
また、第２プリンタ１８には、第２センサｓ２が接続されている。第２センサｓ２は、第２プリンタ１８のプリント可能残量を検出し、検出結果をＣＰＵ２に出力する。これにより、第２センサｓ２は、検出手段の一部及び第２検出手段として機能する。
ここで、プリント可能残量とは、第１プリンタ１７又は第２プリンタ１８に備えられている記録媒体の残量，インク残量等である。
第１プリンタ１７及び第２プリンタ１８のプリント方式としては、色材を昇華、転移させて画像を形成する昇華型熱転写方式を適用することとするが、記録媒体と受像材料とを重ね合わせて熱を加えることによって記録媒体の記録層を受像材料の受像層に転移させて画像を形成する溶融転写記録法式を適用することとしてもよいし、電子写真方式、インクジェット方式やその他のプリント方式であってもよい。また、銀塩写真像を形成するものであってもよい。
また、第１プリンタ１７と第２プリンタ１８に備えられる記録媒体の種類は同じであってもよいし、異なるものであってもよい。
【００３２】
第３プリンタ１９は、例えば、ＣＰＵ２から入力される制御信号に従って、ＣＰＵ２が後述する画像データ保存プログラム４Ｈを実行することにより生成した検索情報を記録媒体にプリントし、検索情報プリント手段として機能する。
【００３３】
通信部２０は、例えば、ネットワークインターフェイスカード、モデム等の通信用インターフェイスから構成され、通信ネットワークＮ上の外部機器と相互に情報の送受信を行う。例えば、他の写真撮影装置１００に画像データを転送してプリントさせたり、サーバ２００から各種データや各種プログラムを受信して更新したりする。
【００３４】
裁断ユニット２１は、ＣＰＵ２から入力される裁断画像に基づいて、第１プリンタ１７又は第２プリンタ１８から出力された写真に対して裁断処理を行う。裁断処理としては、裁断処理が選択された写真に対して、設定されたプリントサイズにプリントされた写真の輪郭線上に非切断部と切断部とが連続してプリント用紙の厚さ方向を切断するものである。
【００３５】
入室センサＳは、顧客Ｍが撮影室Ｒに入室したことを検出するものであり、顧客Ｍの入室を検出するとその検出信号をＣＰＵ２に出力する。入室センサＳとしては、発光器と受光器とからなる光学式センサ等が適用可能である。
【００３６】
本体部１０は、例えば、Ｉ／Ｏコントロール１，ＣＰＵ（Central  Processing  Unit）２，ＲＡＭ（Random  Access  Memory）３，記憶部４，Ｉ／Ｆ５等を備えて構成され、Ｉ／Ｏコントロール１を介してストロボユニット１１，コインメック１４，スピーカ１５，操作部１６，裁断ユニット２１に接続されるとともに、Ｉ／Ｆ５を介して第１プリンタ１７，第２プリンタ１８，第３プリンタ１９，第１センサｓ１，第２センサｓ２に接続されている。
【００３７】
Ｉ／Ｏコントロール１は、例えば、本体部１０と、ストロボユニット１１、コインメック１４、操作部１６、裁断ユニット２１との間で情報のやり取りを仲介するインターフェイスであり、ＣＰＵ２からの制御信号をストロボユニット１１、コインメック１４、裁断ユニット２１に送信するとともに操作部１６からの操作信号をＣＰＵ２に送信する。
【００３８】
ＣＰＵ２は、例えば、記憶部４に格納された処理プログラム等を読み出して、ＲＡＭ３に展開して実行することにより、写真撮影装置１００全体の制御を行う。
【００３９】
ＲＡＭ３は、例えば、ＣＰＵ２により実行された処理プログラム等を、ＲＡＭ３内のプログラム格納領域に展開するとともに、入力データや上記処理プログラムが実行される際に生じる処理結果等をデータ格納領域に格納する。
【００４０】
記憶部４は、例えば、プログラムやデータ等が予め記憶されている記録媒体（図示せず）を有しており、この記録媒体は、例えば、半導体メモリ等で構成されている。また、記憶部４は、ＣＰＵ２が写真撮影装置１００全体を制御する機能を実現させるための各種データ，各種処理プログラム，これらプログラムの実行により処理されたデータ等を記憶する。より具体的には、記憶部４は、例えば、図３に示すように、画像データベース４Ａ，撮影プリントプログラム４Ｂ，焼き増し確認プログラム４Ｃ，プリント可否判断プログラム４Ｄ，通知プログラム４Ｅ，コインメック制御プログラム４Ｆ，焼き増しプリントプログラム４Ｇ，画像データ保存プログラム４Ｈ，後日プリントプログラム４Ｉ等を格納している。
【００４１】
画像データベース４Ａは、例えば、画像データと検索情報とを対応付けて記憶している。これにより、画像データベース４Ａは、記憶手段として機能する。
【００４２】
撮影プリントプログラム４Ｂは、例えば、ＣＰＵ２に、操作部１６から撮影指示の操作信号が入力された場合に、ストロボユニット１１及びデジタルカメラ１２を制御して撮影を行い、撮影により得られた画像データを第１プリンタ１７又は第２プリンタ１８に出力し、当該画像データに基づく画像を記録媒体にプリントさせる機能を実現させるプログラムである。
【００４３】
焼き増し確認プログラム４Ｃは、例えば、ＣＰＵ２に、操作部１６から画像データに基づく画像を第１プリンタ１７又は第２プリンタ１８により記録媒体にプリンタした後に再度当該画像を記録媒体にプリントする操作指示が入力されたか否かを判断することにより、当該画像を焼き増しプリントするのか否かを判断する機能を実現させるプログラムである。
【００４４】
プリント可否判断プログラム４Ｄは、例えば、ＣＰＵ２に、操作部１６から画像データに基づく画像を第１プリンタ１７又は第２プリンタ１８により記録媒体にプリンタした後に再度当該画像を記録媒体にプリントする操作指示が入力された場合に、第１センサｓ１，第２センサｓ２により検出された第１プリンタ１７と第２プリンタ１８との各々のプリント可能残量に基づいて、第１プリンタ１７と第２プリンタ１８との各々によるプリントが可能か否かを判断する機能を実現させるプログラムである。ＣＰＵ２は、かかるプリント可否判断プログラム４Ｄを実行することにより、判断手段として機能する。
【００４５】
通知プログラム４Ｅは、例えば、ＣＰＵ２に、第１センサｓ１又は第２センサｓ２により検出された第１プリンタ１７又は第２プリンタ１８のプリント可能残量が所定値以下となった場合に、通信部２０を制御して、サーバ２００に、第１プリンタ１７又は第２プリンタ１８のプリント可能残量が所定値以下となった旨を通知する機能を実現させるプログラムである。
より具体的には、通知プログラム４Ｅは、例えば、ＣＰＵ２に、プリント可否判断プログラム４Ｄを実行することにより、第１センサｓ１，第２センサｓ２により検出された第１プリンタ１７と第２プリンタ１８との各々のプリント可能残量に基づいて、第１プリンタ１７と第２プリンタ１８との各々によるプリントが不可能と判断した場合に、第１センサｓ１又は第２センサｓ２により検出された第１プリンタ１７又は第２プリンタ１８のプリント可能残量が所定値以下であると判断し、通信部２０を制御して、サーバ２００に、第１プリンタ１７又は第２プリンタ１８のプリント可能残量が所定値以下となった旨を通知する機能を実現させるプログラムである。
ＣＰＵ２は、かかる通知プログラム４Ｅを実行することにより、通知手段として機能する。
【００４６】
コインメック制御プログラム４Ｆは、例えば、ＣＰＵ２に、プリント可否判断プログラム４Ｄを実行することにより、第１プリンタ１７又は第２プリンタ１８によるプリントが可能と判断した場合に、コインメック１４を制御して、所定の料金を徴収させる機能を実現させるプログラムである。ＣＰＵ２は、コインメック制御プログラム４Ｆを実行することにより、徴収手段の一部として機能する。
【００４７】
焼き増しプリントプログラム４Ｇは、例えば、ＣＰＵ２に、コインメック制御プログラム４Ｆを実行することにより、所定の料金を徴収したことに基づいて、画像データに基づく画像を第１プリンタ１７又は第２プリンタ１８に記録媒体にプリントさせる機能を実現させるプログラムである。ＣＰＵ２は、かかる焼き増しプリントプログラム４Ｇを実行することにより、プリント制御手段として機能する。
【００４８】
画像データ保存プログラム４Ｈは、例えば、ＣＰＵ２に、プリント可否判断プログラム４Ｄを実行することにより、第１プリンタ１７及び第２プリンタ１８によるプリントが不可能と判断した場合に、画像データを検索するための検索情報を生成し、画像データと検索情報とを対応づけて画像データベース４Ａに記憶させる機能を実現させるプログラムである。
より具体的には、画像データ保存プログラム４Ｈは、例えば、ＣＰＵ２に、プリント可否判断プログラム４Ｄを実行することにより、第１プリンタ１７及び第２プリンタ１８によるプリントが不可能と判断した場合に、画像データを保存するか否かを確認するメッセージを表示部１３又はスピーカ１５に出力させ、操作部１６から入力される操作信号に基づいて、当該画像データを保存するか否かを判断し、当該画像データを保存すると判断した場合に、検索情報を生成し、当該画像データと当該検索情報とを対応づけて画像データベース４Ａに記憶させ、第３プリンタ１９に当該検索情報を記録媒体にプリントさせる機能を実現させるプログラムである。
ＣＰＵ２は、かかる画像データ保存プログラム４Ｈを実行することにより、記憶制御手段として機能する。
【００４９】
検索情報は、当該画像データを識別するための識別情報と、所定の顧客情報とを有する。識別情報は、例えば、撮影日等を表す数字やアルファベット等から構成され、ＣＰＵ２が画像データ保存プログラム４Ｈを実行することにより生成される。顧客情報は、例えば、顧客の電話番号や郵便番号等の情報であり、顧客Ｍが操作部１６を操作することにより入力される。
【００５０】
後日プリントプログラム４Ｉは、例えば、ＣＰＵ２に、操作部１６から検索情報が入力された場合に、当該検索情報に対応する画像データを画像データベース４Ａから検索し、検索した画像データに基づく画像を第１プリンタ１７又は第２プリンタ１８により記録媒体にプリントさせる機能を実現させるプログラムである。
より具体的には、後日プリントプログラム４Ｉは、操作部１６から検索情報が入力された場合に、当該検索情報に対応する画像データを画像データベース４Ａから検索し、当該画像データがあるか否かを判断し、当該画像データがない場合には、該当する画像データがない旨を表示部１３に表示させ、当該画像データがある場合には、第１プリンタ１７又は第２プリンタ１８のプリント可能残量を検出することにより、第１プリンタ１７又は第２プリンタ１８によるプリントが可能か否かを判断し、第１プリンタ１７又は第２プリンタ１８によるプリントが不可能と判断した場合には、陳謝メッセージを表示部１３に表示させ、第１プリンタ１７又は第２プリンタ１８によるプリントが可能と判断した場合には、当該画像データに基づく画像を第１プリンタ１７又は第２プリンタ１８により記録媒体にプリントさせる機能を実現させるプログラムである。
ＣＰＵ２は、かかる後日プリントプログラム４Ｉを実行することにより、記憶画像プリント制御手段として機能する。
【００５１】
Ｉ／Ｆ５は、例えば、本体部１０と、第１プリンタ１７，第２プリンタ１８，第３プリンタ１９との間で情報のやり取りを仲介するインターフェイスである。
【００５２】
次に、上述のような構成の第１の実施形態に係る写真撮影装置１００におけるプリント動作の一例を図４に示すフローチャートを参照しながら説明する。
【００５３】
まず、コインメック１４が１枚目の料金を徴収すると（ステップＳ１）、ＣＰＵ２は、撮影プリントプログラム４Ｂを実行することにより、ストロボユニット１１及びデジタルカメラ１２等を制御して、顧客Ｍを撮影させ、画像データを得る（ステップＳ２）。
【００５４】
次に、ＣＰＵ２は、撮影プリントプログラム４Ｂの実行に基づいて、ステップＳ２で得られた画像データを表示部１３に表示させ、プリントする画像は当該画像データに基づく画像でよいかどうかを、操作部１６からの操作信号から確認する（ステップＳ３）。
【００５５】
次に、ＣＰＵ２は、撮影プリントプログラム４Ｂの実行に基づいて、ステップＳ３で確認された画像データに基づく画像を記録媒体にプリントさせる（ステップＳ４）。
【００５６】
次に、ＣＰＵ２は、焼き増し確認プログラム４Ｃを実行することにより、操作部１６から画像データに基づく画像を第１プリンタ１７又は第２プリンタ１８により記録媒体にプリンタした後に再度当該画像を記録媒体にプリントする操作指示が入力されたか否かを判断することにより、当該画像を焼き増しプリントするのか否かを判断する（ステップＳ５）。
【００５７】
ステップＳ５において、ＣＰＵ２が、画像を焼き増しプリントしないと判断した場合には（ステップＳ５；Ｎｏ）、本処理を終了する。
ステップＳ５において、ＣＰＵ２が、画像を焼き増しプリントすると判断した場合には（ステップＳ５；Ｙｅｓ）、ＣＰＵ２は、プリント可否判断プログラム４Ｄを実行することにより、第１センサｓ１又は第２センサｓ２により検出された第１プリンタ１７又は第２プリンタ１８のプリント可能残量に基づいて、第１プリンタ１７又は第２プリンタ１８によるプリントが可能か否かを判断する（ステップＳ６）。
【００５８】
ステップＳ６において、ＣＰＵ２が、第１プリンタ１７又は第２プリンタ１８によるプリントが可能と判断した場合には（ステップＳ６；Ｙｅｓ）、ＣＰＵ２は、コインメック制御プログラム４Ｆを実行することにより、コインメック１４を制御して所定の料金を徴収させ（ステップＳ７）、焼き増しプリントプログラム４Ｇを実行することにより、所定の料金を徴収したことに基づいて、画像データに基づく画像を第１プリンタ１７又は第２プリンタ１８に記録媒体にプリントさせ（ステップＳ８）、ステップＳ５に戻る。
【００５９】
ステップＳ６において、ＣＰＵ２が、第１プリンタ１７又は第２プリンタ１８によるプリントが不可能と判断した場合には（ステップＳ６；Ｎｏ）、ＣＰＵ２は、通知プログラム４Ｅを実行することにより、通信部２０を制御して、サーバ２００に、第１プリンタ１７又は第２プリンタ１８のプリント可能残量が所定値以下となった旨を通知する（ステップＳ９）。
【００６０】
次に、ＣＰＵ２は、画像データ保存プログラム４Ｈを実行することにより、画像データを保存するか否かを確認するメッセージを表示部１３又はスピーカ１５に出力させ、操作部１６から入力される操作信号に基づいて、当該画像データを保存するか否かを判断する（ステップＳ１０）。
【００６１】
ステップＳ１０において、ＣＰＵ２が、当該画像データを保存しないと判断した場合には（ステップＳ１０；Ｎｏ）、本処理を終了する。
ステップＳ１０において、ＣＰＵ２が、当該画像データを保存すると判断した場合には（ステップＳ１０；Ｙｅｓ）、ＣＰＵ２は、画像データ保存プログラム４Ｈの実行に基づいて、検索情報を生成し、当該画像データと当該検索情報とを対応づけて画像データベース４Ａに記憶させ、第３プリンタ１９を制御して当該検索情報を記録媒体にプリントさせ（ステップＳ１１）、本処理を終了する。
【００６２】
次に、第１の実施形態に係る写真撮影装置１００における画像データベース４Ａに記憶されている画像データのプリント動作の一例を図５に示すフローチャートを参照しながら説明する。
【００６３】
まず、操作部１６から検索情報が入力されると（ステップＳ１０１）、ＣＰＵ２は、後日プリントプログラム４Ｉを実行することにより、当該検索情報に対応する画像データを画像データベース４Ａから検索し（ステップＳ１０２）、当該画像データがあるか否かを判断する（ステップＳ１０３）。
【００６４】
ステップＳ１０３において、ＣＰＵ２が、当該画像データがないと判断した場合には（ステップＳ１０３；Ｎｏ）、ＣＰＵ２は、表示部１３に該当する画像データがない旨を表示させ（ステップＳ１０４）、本処理を終了する。
ステップＳ１０３において、ＣＰＵ２が、当該画像データがあると判断した場合には（ステップＳ１０３；Ｙｅｓ）、ＣＰＵ２は、後日プリントプログラム４Ｉの実行に基づいて、第１プリンタ１７又は第２プリンタ１８のプリント可能残量を検出し、第１プリンタ１７又は第２プリンタ１８によるプリントが可能か否かを判断する（ステップＳ１０５）。
【００６５】
ステップＳ１０５において、ＣＰＵ２が、第１プリンタ１７又は第２プリンタ１８によるプリントが不可能と判断した場合には（ステップＳ１０５；Ｎｏ）、ＣＰＵ２は、表示部１３に陳謝メッセージを表示させ（ステップＳ１０６）、本処理を終了する。
ステップＳ１０５において、ＣＰＵ２が、第１プリンタ１７又は第２プリンタ１８によるプリントが可能と判断した場合には（ステップＳ１０５；Ｙｅｓ）、ＣＰＵ２は、後日プリントプログラム４Ｉの実行に基づいて、コインメック１４を制御して所定の料金を徴収させ（ステップＳ１０７）、検索した画像データに基づく画像を第１プリンタ１７又は第２プリンタ１８により記録媒体にプリントさせ（Ｓ１０８）、本処理を終了する。
【００６６】
以上に説明した、第１の実施形態に係る写真撮影装置１００によれば、操作部１６により、画像データに基づく画像を第１プリンタ１７又は第２プリンタ１８により記録媒体にプリントした後に再度当該画像を記録媒体にプリントする指示が入力され、ＣＰＵ２がプリント可否判断プログラム４Ｄを実行することにより、操作部１６によって再度画像データに基づく画像を記録媒体にプリントする指示が入力された場合に、第１センサｓ１又は第２センサｓ２により検出された第１プリンタ１７又は第２プリンタ１８のプリント可能残量に基づいて、プリント可能か否かが判断され、ＣＰＵ２がコインメック制御プログラム４Ｆを実行することにより、プリント可能と判断された場合に、所定の料金が徴収され、ＣＰＵ２が焼き増しプリントプログラム４Ｇを実行することにより、所定の料金が徴収されたことに基づいて、画像データに基づく画像を第１プリンタ１７又は第２プリンタ１８により記録媒体にプリントさせるので、焼き増しプリントができるか否かを確認してから焼き増し料金を徴収することとなって、焼き増し料金を徴収してから焼き増しプリントできるか否かが判明する従来の場合における焼き増し料金を精算する無駄な工程を行うことがなくなることとなり、画像をプリントした後、再度画像をプリントする際に、より効率良くプリントすることができる。
【００６７】
また、ＣＰＵ２が画像データ保存プログラム４Ｈを実行することにより、プリント可否判断プログラム４Ｄを実行してプリント不可能と判断した場合に、画像データを検索するための検索情報が生成され、画像データと検索情報とが関連づけられて画像データベース４Ａに記憶され、操作部１６により、検索情報が入力され、ＣＰＵ２が後日プリントプログラム４Ｉを実行することにより、操作部１６によって検索情報が入力された場合に、検索情報に対応する画像データが画像データベース４Ａから検索され、検索された画像データに基づく画像が第１プリンタ１７又は第２プリンタ１８により記録媒体にプリントされるので、画像データベース４Ａに記憶された画像データに基づいて再プリントを行うことができることとなって、焼き増しプリントをするためのペーパー等がなくなってしまった場合でも、再度撮影等を行って新たな画像データを得なくとも、画像データベース４Ａに記憶された画像データに基づく画像を再度プリントすることができることとなって、より使い勝手のよい写真撮影装置１００を提供できる。
【００６８】
また、操作部１６により、画像データベース４Ａに画像データを記憶させるか否かが選択され、ＣＰＵ２は、画像データ保存プログラム４Ｈを実行することにより、操作部１６により画像データを記憶させることが選択された場合に、画像データと検索情報とを対応づけて画像データベース４Ａに記憶させるので、顧客が画像データの記憶を望まない場合には、当該画像データを画像データベース４Ａに記憶することがなくなることとなって、画像データベース４Ａの記憶容量を効率良く使用することができる。
【００６９】
また、ＣＰＵ２が画像データ保存プログラム４Ｈを実行することにより生成された検索情報を記録媒体にプリントする第３プリンタ１９を備えるので、第３プリンタ１９により検索情報がプリントされた記録媒体により顧客が当該検索情報を忘れてしまうことを防止でき、より確実に再プリントを行うことができる。
【００７０】
また、検索情報は、画像データを識別するための識別情報と、所定の顧客情報とを有するので、識別情報及び顧客情報の組合せとすることで検索情報を複雑なものとすることができ、他人がいたずらに画像データを検索してしまうことを防ぐことができる。
【００７１】
また、ＣＰＵ２が通知プログラム４Ｅを実行することにより、第１センサｓ１又は第２センサｓ２により検出された第１プリンタ１７又は第２プリンタ１８のプリント可能残量が所定値以下となった場合に、サーバ２００に第１プリンタ１７又は第２プリンタ１８のプリント可能残量が所定値以下である旨が通知されるので、第１プリンタ１７又は第２プリンタ１８がプリント不可能な状態で放置されることを防止することができ、第１プリンタ１７又は第２プリンタ１８をより早くプリント可能な状態に復旧することができる。
【００７２】
（第２の実施形態）
第２の実施形態に係る写真撮影装置３００は、図６に示すように、記憶部４０の構成のみが第１の実施形態に係る写真撮影装置１００と異なるので、同一の構成については、同一の符号を付すとともに、その説明を省略する。
【００７３】
記憶部４０は、例えば、プログラムやデータ等が予め記憶されている記録媒体（図示せず）を有しており、この記録媒体は、例えば、半導体メモリ等で構成されている。また、記憶部４０は、ＣＰＵ２が写真撮影装置３００全体を制御する機能を実現させるための各種データ，各種処理プログラム，これらプログラムの実行により処理されたデータ等を記憶する。より具体的には、記憶部４０は、例えば、図７に示すように、画像データベース４Ａ，撮影プリントプログラム４Ｂ，焼き増し確認プログラム４Ｃ，プリント可否判断プログラム４Ｄ，通知プログラム４Ｅ，コインメック制御プログラム４Ｆ，切換プログラム４０Ａ，焼き増しプリントプログラム４Ｇ，画像データ保存プログラム４Ｈ，後日プリントプログラム４Ｉ等を格納している。
【００７４】
切換プログラム４０Ａは、例えば、ＣＰＵ２に、プリント可否判断プログラム４Ｄを実行することにより、第１プリンタ１７によるプリントが不可能と判断し、第２プリンタ１８によるプリントが可能か否かを判断し、第２プリンタ１８によるプリントが可能と判断した場合に、画像データに基づく画像をプリントさせるプリンタを第１プリンタ１７から第２プリンタ１８へ切り換える機能を実現させるプログラムである。
より具体的には、切換プログラム４０Ａは、例えば、ＣＰＵ２に、第１プリンタ１７によるプリントが不可能と判断し、第２プリンタ１８によるプリントが可能と判断した場合に、画像データに基づく画像をプリントさせるプリンタを第１プリンタ１７から第２プリンタ１８に切り換えてもよいか否かを尋ねるメッセージを表示部１３に表示させ、操作部１６から入力される操作信号に基づいて、第１プリンタ１７から第２プリンタ１８に切り換えてもよいか否かを判断し、第１プリンタ１７から第２プリンタ１８に切り換えてもよいと判断した場合に、画像データに基づく画像をプリントさせるプリンタを第１プリンタ１７から第２プリンタ１８に切り換える機能を実現させるプログラムである。
ＣＰＵ２はかかる切換プログラム４０Ａを実行することにより、切換手段として機能する。
【００７５】
次に、上述のような構成の第２の実施形態に係る写真撮影装置３００におけるプリント動作の一例を図８，図９に示すフローチャートを参照しながら説明する。
【００７６】
まず、コインメック１４が１枚目の料金を徴収すると（ステップＳ２０１）、ＣＰＵ２は、撮影プリントプログラム４Ｂを実行することにより、ストロボユニット１１及びデジタルカメラ１２等を制御して、顧客Ｍを撮影させ、画像データを得る（ステップＳ２０２）。
【００７７】
次に、ＣＰＵ２は、撮影プリントプログラム４Ｂの実行に基づいて、ステップＳ２０２で得られた画像データを表示部１３に表示させ、プリントする画像は当該画像データに基づく画像でよいかどうかを、操作部１６からの操作信号から確認する（ステップＳ２０３）。
【００７８】
次に、ＣＰＵ２は、撮影プリントプログラム４Ｂの実行に基づいて、ステップＳ２０３で確認された画像データに基づく画像を記録媒体にプリントさせる（ステップＳ２０４）。
【００７９】
次に、ＣＰＵ２は、焼き増し確認プログラム４Ｃを実行することにより、操作部１６から画像データに基づく画像を第１プリンタ１７又は第２プリンタ１８により記録媒体にプリンタした後に再度当該画像を記録媒体にプリントする操作指示が入力されたか否かを判断することにより、当該画像を焼き増しプリントするのか否かを判断する（ステップＳ２０５）。
【００８０】
ステップＳ２０５において、ＣＰＵ２が、画像を焼き増しプリントしないと判断した場合には（ステップＳ２０５；Ｎｏ）、本処理を終了する。
ステップＳ２０５において、ＣＰＵ２が、画像を焼き増しプリントすると判断した場合には（ステップＳ２０５；Ｙｅｓ）、ＣＰＵ２は、プリント可否判断プログラム４Ｄを実行することにより、第１センサｓ１により検出された第１プリンタ１７のプリント可能残量に基づいて、第１プリンタ１７によるプリントが可能か否かを判断する（ステップＳ２０６）。
【００８１】
ステップＳ２０６において、ＣＰＵ２が、第１プリンタ１７によるプリントが可能と判断した場合には（ステップＳ２０６；Ｙｅｓ）、ＣＰＵ２は、コインメック制御プログラム４Ｆを実行することにより、コインメック１４を制御して所定の料金を徴収させ（ステップＳ２０７）、焼き増しプリントプログラム４Ｇを実行することにより、所定の料金を徴収したことに基づいて、画像データに基づく画像を第１プリンタ１７により記録媒体にプリントさせ（ステップＳ２０８）、ステップＳ２０５に戻る。
【００８２】
ステップＳ２０６において、ＣＰＵ２が、第１プリンタ１７によるプリントが不可能と判断した場合には（ステップＳ２０６；Ｎｏ）、ＣＰＵ２は、通知プログラム４Ｅを実行することにより、通信部２０を制御して、サーバ２００に、第１プリンタ１７のプリント可能残量が所定値以下となった旨を通知する（ステップＳ２０９）。
【００８３】
次に、ＣＰＵ２は、プリント可否判断プログラム４Ｄを実行することにより、第２センサｓ２により検出された第２プリンタ１８のプリント可能残量に基づいて、第２プリンタ１８によるプリントが可能か否かを判断する（ステップＳ２１０）。
【００８４】
ステップＳ２１０において、ＣＰＵ２が、第２プリンタ１８によるプリントが不可能と判断した場合には（ステップＳ２１０；Ｎｏ）、ＣＰＵ２は、通知プログラム４Ｅを実行することにより、通信部２０を制御して、サーバ２００に、第２プリンタ１８のプリント可能残量が所定値以下となった旨を通知し（ステップＳ２１１）、ステップＳ２１５へ進む。
【００８５】
ステップＳ２１０において、ＣＰＵ２が、第２プリンタ１８によるプリントが可能と判断した場合には（ステップＳ２１０；Ｙｅｓ）、ＣＰＵ２は、切換プログラム４０Ａを実行することにより、画像データに基づく画像をプリントさせるプリンタを第１プリンタ１７から第２プリンタ１８に切り換えてもよいか否かを尋ねるメッセージを表示部１３に表示させ、操作部１６から入力される操作信号に基づいて、第１プリンタ１７から第２プリンタ１８に切り換えてもよいか否かを判断する（ステップＳ２１２）。
【００８６】
ステップＳ２１１において、ＣＰＵ２が、第１プリンタ１７から第２プリンタ１８に切り換えてもよいと判断した場合には（ステップＳ２１２；Ｙｅｓ）、ＣＰＵ２は、コインメック制御プログラム４Ｆを実行することにより、コインメック１４を制御して所定の料金を徴収させ（ステップＳ２１３）、焼き増しプリントプログラム４Ｇを実行することにより、所定の料金を徴収したことに基づいて、画像データに基づく画像を第２プリンタ１８により記録媒体にプリントさせ（ステップＳ２１４）、本処理を終了する。
【００８７】
ステップＳ２１１において、ＣＰＵ２が、第１プリンタ１７から第２プリンタ１８に切り換えてはよくないと判断した場合には（ステップＳ２１２；Ｎｏ）、ＣＰＵ２は、画像データ保存プログラム４Ｈを実行することにより、画像データを保存するか否かを確認するメッセージを表示部１３又はスピーカ１５に出力させ、操作部１６から入力される操作信号に基づいて、当該画像データを保存するか否かを判断する（ステップＳ２１５）。
【００８８】
ステップＳ２１５において、ＣＰＵ２が、当該画像データを保存しないと判断した場合には（ステップＳ２１５；Ｎｏ）、本処理を終了する。
ステップＳ２１５において、ＣＰＵ２が、当該画像データを保存すると判断した場合には（ステップＳ２１５；Ｙｅｓ）、ＣＰＵ２は、画像データ保存プログラム４Ｈの実行に基づいて、検索情報を生成し、当該画像データと当該検索情報とを対応づけて画像データベース４Ａに記憶させ、第３プリンタ１９を制御して当該検索情報を記録媒体にプリントさせ（ステップＳ２１６）、本処理を終了する。
【００８９】
以上に説明した、第２の実施形態に係る写真撮影装置３００によれば、第１の実施形態に係る写真撮影装置１００と同様の効果が得られるのは勿論のこと、特に、記録媒体に画像データに基づく画像をプリントするプリンタとして、第１プリンタ１７と第２プリンタ１８とを備え、ＣＰＵ２が、プリント可否判断プログラム４Ｄを実行することによって、第１プリンタ１７によるプリントが可能か否かが判断され、当該第１プリンタ１７によるプリントが不可能と判断された後、第２プリンタ１８によるプリントが可能か否かが判断され、当該第２プリンタ１８によるプリントが可能と判断された場合に、ＣＰＵ２が、切換プログラム４０Ａを実行することにより、画像データに基づく画像をプリントさせるプリンタを第１プリンタ１７から第２プリンタ１８に切り換えられるので、第１プリンタ１７によるプリントが不可能となっても、第２プリンタ１８がプリント可能な場合には、第２プリンタ１８によるプリントに切り換えられるので、より確実に焼き増しプリントを行うことができる。
【００９０】
（第３の実施形態）
第３の実施形態に係る写真撮影装置４００は、図１０に示すように、記憶部５０とサーバ５００の構成のみが第１の実施形態に係る写真撮影装置１００と異なるので、同一の構成については、同一の符号を付すとともに、その説明を省略する。
【００９１】
記憶部５０は、例えば、プログラムやデータ等が予め記憶されている記録媒体（図示せず）を有しており、この記録媒体は、例えば、半導体メモリ等で構成されている。また、記憶部５０は、ＣＰＵ２が写真撮影装置４００全体を制御する機能を実現させるための各種データ，各種処理プログラム，これらプログラムの実行により処理されたデータ等を記憶する。より具体的には、記憶部５０は、例えば、図１１に示すように、画像データベース４Ａ，撮影プリントプログラム４Ｂ，焼き増し確認プログラム４Ｃ，プリント可否判断プログラム４Ｄ，通知プログラム４Ｅ，コインメック制御プログラム４Ｆ，焼き増しプリントプログラム４Ｇ，第１送信制御プログラム５０Ａ，第２送信制御プログラム５０Ｂ，後日プリントプログラム５０Ｃ等を格納している。
【００９２】
第１送信制御プログラム５０Ａは、例えば、ＣＰＵ２に、プリント可否判断プログラム４Ｄを実行することにより、第１プリンタ１７及び第２プリンタ１８によるプリントが不可能と判断した場合に、画像データを検索するための検索情報を生成し、通信部２０を制御して、画像データと検索情報とをサーバ５００に送信させる機能を実現させるプログラムである。
より具体的には、第１送信制御プログラム５０Ａは、例えば、ＣＰＵ２に、プリント可否判断プログラム４Ｄを実行することにより、第１プリンタ１７及び第２プリンタ１８によるプリントが不可能と判断した場合に、画像データを保存するか否かを確認するメッセージを表示部１３又はスピーカ１５に出力させ、操作部１６から入力される操作信号に基づいて、当該画像データを保存するか否かを判断し、当該画像データを保存すると判断した場合に、検索情報を生成し、通信部２０を制御して、当該画像データと当該検索情報とをサーバ５００に送信させ、第３プリンタ１９に当該検索情報を記録媒体にプリントさせる機能を実現させるプログラムである。
ＣＰＵ２は、かかる第１送信制御プログラム５０Ａを実行することにより、第１送信制御手段として機能する。
【００９３】
第２送信制御プログラム５０Ｂは、例えば、ＣＰＵ２に、操作部１６から検索情報が入力された場合に、通信部２０を制御して当該検索情報をサーバ５００に送信させる機能を実現させるプログラムである。ＣＰＵ２は、かかる第２送信制御プログラム５０Ｂを実行することにより、第２送信制御手段として機能する。
【００９４】
後日プリントプログラム５０Ｃは、例えば、ＣＰＵ２に、サーバ５００から画像データを受信した場合に、当該画像データに基づく画像を第１プリンタ１７又は第２プリンタ１８により記録媒体にプリントさせる機能を実現させるプログラムである。
より具体的には、後日プリントプログラム５０Ｃは、サーバ５００から画像データを受信したか否かを判断し、サーバ５００から画像データを受信していないと判断した場合には、該当する画像データがない旨を表示部１３に表示させ、サーバ５００から画像データを受信したと判断した場合には、第１プリンタ１７又は第２プリンタ１８のプリント可能残量を検出することにより、第１プリンタ１７又は第２プリンタ１８によるプリントが可能か否かを判断し、第１プリンタ１７又は第２プリンタ１８によるプリントが不可能と判断した場合には、陳謝メッセージを表示部１３に表示させ、第１プリンタ１７又は第２プリンタ１８によるプリントが可能と判断した場合には、当該画像データに基づく画像を第１プリンタ１７又は第２プリンタ１８により記録媒体にプリントさせる機能を実現させるプログラムである。
ＣＰＵ２は、かかる後日プリントプログラム５０Ｃを実行することにより、受信画像プリント制御手段として機能する。
【００９５】
サーバ５００は、例えば、図１２に示すように、通信部５０１，ＣＰＵ５０２，ＲＡＭ５０３，記憶部５０４等を備えて構成される。
【００９６】
ＣＰＵ５０２は、例えば、記憶部５０４に格納された処理プログラム等を読み出して、ＲＡＭ５０３に展開して実行することにより、サーバ５００全体の制御を行う。
【００９７】
ＲＡＭ５０３は、例えば、ＣＰＵ５０２により実行された処理プログラム等を、ＲＡＭ５０３内のプログラム格納領域に展開するとともに、入力データや上記処理プログラムが実行される際に生じる処理結果等をデータ格納領域に格納する。
【００９８】
記憶部５０４は、例えば、プログラムやデータ等が予め記憶されている記録媒体（図示せず）を有しており、この記録媒体は、例えば、半導体メモリ等で構成されている。また、記憶部５０４は、ＣＰＵ５０２がサーバ５００全体を制御する機能を実現させるための各種データ，各種処理プログラム，これらプログラムの実行により処理されたデータ等を記憶する。より具体的には、記憶部５０４は、例えば、図１２に示すように、画像データベース５０４Ａ，第３送信制御プログラム５０４Ｂ等を格納している。
【００９９】
画像データベース５０４Ａは、例えば、画像データと検索情報とを対応付けて記憶している。これにより、画像データベース５０４Ａは、記憶手段として機能する。
【０１００】
第３送信制御プログラム５０４Ｂは、例えば、ＣＰＵ５０２に、写真撮影装置４００から検索情報を受信した場合に、当該検索情報に対応する画像データを画像データベース５０４Ａから検索し、検索した画像データを写真撮影装置４００に送信する機能を実現させるプログラムである。ＣＰＵ５０２は、かかる第３送信制御プログラム５０４Ｂを実行することにより、第３送信制御手段として機能する。
【０１０１】
次に、上述のような構成の第３の実施形態に係る写真撮影装置４００及びサーバ５００のプリント動作の一例を図１３に示すフローチャートを参照しながら説明する。
【０１０２】
まず、コインメック１４が１枚目の料金を徴収すると（ステップＳ３０１）、ＣＰＵ２は、撮影プリントプログラム４Ｂを実行することにより、ストロボユニット１１及びデジタルカメラ１２等を制御して、顧客Ｍを撮影させ、画像データを得る（ステップＳ３０２）。
【０１０３】
次に、ＣＰＵ２は、撮影プリントプログラム４Ｂの実行に基づいて、ステップＳ３０２で得られた画像データを表示部１３に表示させ、プリントする画像は当該画像データに基づく画像でよいかどうかを、操作部１６からの操作信号から確認する（ステップＳ３０３）。
【０１０４】
次に、ＣＰＵ２は、撮影プリントプログラム４Ｂの実行に基づいて、ステップＳ３０３で確認された画像データに基づく画像を記録媒体にプリントさせる（ステップＳ３０４）。
【０１０５】
次に、ＣＰＵ２は、焼き増し確認プログラム４Ｃを実行することにより、操作部１６から画像データに基づく画像を第１プリンタ１７又は第２プリンタ１８により記録媒体にプリンタした後に再度当該画像を記録媒体にプリントする操作指示が入力されたか否かを判断することにより、当該画像を焼き増しプリントするのか否かを判断する（ステップＳ３０５）。
【０１０６】
ステップＳ３０５において、ＣＰＵ２が、画像を焼き増しプリントしないと判断した場合には（ステップＳ３０５；Ｎｏ）、本処理を終了する。
ステップＳ３０５において、ＣＰＵ２が、画像を焼き増しプリントすると判断した場合には（ステップＳ３０５；Ｙｅｓ）、ＣＰＵ２は、プリント可否判断プログラム４Ｄを実行することにより、第１センサｓ１又は第２センサｓ２により検出された第１プリンタ１７又は第２プリンタ１８のプリント可能残量に基づいて、第１プリンタ１７又は第２プリンタ１８によるプリントが可能か否かを判断する（ステップＳ３０６）。
【０１０７】
ステップＳ３０６において、ＣＰＵ２が、第１プリンタ１７又は第２プリンタ１８によるプリントが可能と判断した場合には（ステップＳ３０６；Ｙｅｓ）、ＣＰＵ２は、コインメック制御プログラム４Ｆを実行することにより、コインメック１４を制御して所定の料金を徴収させ（ステップＳ３０７）、焼き増しプリントプログラム４Ｇを実行することにより、所定の料金を徴収したことに基づいて、画像データに基づく画像を第１プリンタ１７又は第２プリンタ１８に記録媒体にプリントさせ（ステップＳ３０８）、ステップＳ３０５に戻る。
【０１０８】
ステップＳ３０６において、ＣＰＵ２が、第１プリンタ１７又は第２プリンタ１８によるプリントが不可能と判断した場合には（ステップＳ３０６；Ｎｏ）、ＣＰＵ２は、通知プログラム４Ｅを実行することにより、通信部２０を制御して、サーバ５００に、第１プリンタ１７又は第２プリンタ１８のプリント可能残量が所定値以下となった旨を通知し（ステップＳ３０９）、サーバ５００において、ＣＰＵ５０２が当該通知を受信する（ステップＳ３１０）。
【０１０９】
次に、ＣＰＵ２は、第１送信制御プログラム５０Ａを実行することにより、画像データを保存するか否かを確認するメッセージを表示部１３又はスピーカ１５に出力させ、操作部１６から入力される操作信号に基づいて、当該画像データを保存するか否かを判断する（ステップＳ３１１）。
【０１１０】
ステップＳ３１１において、ＣＰＵ２が、当該画像データを保存しないと判断した場合には（ステップＳ３１１；Ｎｏ）、本処理を終了する。
ステップＳ３１１において、ＣＰＵ２が、当該画像データを保存すると判断した場合には（ステップＳ３１１；Ｙｅｓ）、ＣＰＵ２は、第１送信制御プログラム５０Ａの実行に基づいて、検索情報を生成し、通信部２０を制御して当該画像データと当該検索情報とをサーバ５００に送信させ、第３プリンタ１９を制御して当該検索情報を記録媒体にプリントさせる（ステップＳ３１２）。
【０１１１】
次に、サーバ５００が当該画像データ及び検索情報を受信すると（ステップＳ３１３）、ＣＰＵ５０２は、当該画像データと当該検索情報とを関連づけて画像データベース５０４Ａに記憶する（ステップＳ３１４）。
【０１１２】
次に、第３の実施形態に係る写真撮影装置４００におけるサーバ５００の画像データベース５０４Ａに記憶されている画像データのプリント動作の一例を図１４に示すフローチャートを参照しながら説明する。
【０１１３】
まず、写真撮影装置４００において、操作部１６から検索情報が入力されると（ステップＳ４０１）、ＣＰＵ２は、第２送信制御プログラム５０Ｂを実行することにより、通信部２０を制御して、当該検索情報をサーバ５００に送信させる（ステップＳ４０２）。
【０１１４】
次に、サーバ５００が当該検索情報を受信すると（ステップＳ４０３）、ＣＰＵ５０２は、第３送信制御プログラム５０４Ｂを実行することにより、当該検索情報に対応する画像データを画像データベース５０４Ａから検索し（ステップＳ４０４）、当該画像データがある場合には当該画像データを、当該画像データがない場合には当該画像データがない旨を、写真撮影装置４００に送信する（ステップＳ４０５）。
【０１１５】
次に、写真撮影装置４００において、ＣＰＵ２は、後日プリントプログラム５０Ｃを実行することにより、サーバ５００から画像データを受信したか否かを判断する（ステップ４０６）。
【０１１６】
ステップＳ４０６において、ＣＰＵ２が、サーバ５００から当該画像データがない旨を受信し、画像データを受信していないと判断した場合には（ステップ４０６；Ｎｏ）、ＣＰＵ２は、該当する画像データがない旨を表示部１３に表示させ（ステップＳ４０７）、本処理を終了する。
ステップＳ４０６において、ＣＰＵ２が、サーバ５００から画像データを受信したと判断した場合には（ステップＳ４０６；Ｙｅｓ）、ＣＰＵ２は、第１プリンタ１７又は第２プリンタ１８のプリント可能残量を検出し、第１プリンタ１７又は第２プリンタ１８によるプリントが可能か否かを判断する（ステップＳ４０８）。
【０１１７】
ステップＳ４０８において、ＣＰＵ２が、第１プリンタ１７又は第２プリンタ１８によるプリントが不可能と判断した場合には（ステップＳ４０８；Ｎｏ）、ＣＰＵ２は、表示部１３に陳謝メッセージを表示させ（ステップＳ４０９）、本処理を終了する。
ステップＳ４０８において、ＣＰＵ２が、第１プリンタ１７又は第２プリンタ１８によるプリントが可能と判断した場合には（ステップＳ４０８；Ｙｅｓ）、ＣＰＵ２は、後日プリントプログラム５０Ｃの実行に基づいて、コインメック１４を制御して所定の料金を徴収させ（ステップＳ４１０）、検索した画像データに基づく画像を第１プリンタ１７又は第２プリンタ１８により記録媒体にプリントさせ（Ｓ４１１）、本処理を終了する。
【０１１８】
以上に説明した、第３の実施形態に係る写真撮影装置４００によれば、写真撮影装置４００において、操作部１６により、画像データに基づく画像を第１プリンタ１７又は第２プリンタ１８により記録媒体にプリントした後に再度当該画像を記録媒体にプリントする指示が入力され、ＣＰＵ２がプリント可否判断プログラム４Ｄを実行することにより、操作部１６によって再度画像を記録媒体にプリントする指示が入力された場合に、第１センサｓ１又は第２センサｓ２により検出された第１プリンタ１７又は第２プリンタ１８のプリント可能残量に基づいて、プリント可能か否かが判断され、ＣＰＵ２がコインメック制御プログラム４Ｆを実行することにより、プリント可能と判断された場合に、所定の料金が徴収され、ＣＰＵ２が焼き増しプリントプログラム４Ｇを実行することにより、所定の料金が徴収されたことに基づいて、画像データに基づく画像を第１プリンタ１７又は第２プリンタ１８により記録媒体にプリントさせるので、焼き増しプリントができるか否かを確認してから焼き増し料金を徴収することとなって、焼き増し料金を徴収してから焼き増しプリントできるか否かが判明する従来の場合における焼き増し料金を精算する無駄な工程を行うことがなくなることとなり、画像をプリントした後、再度画像をプリントする際に、より効率良くプリントすることができる。
【０１１９】
また、写真撮影装置４００において、ＣＰＵ２が第１送信制御プログラム５０Ａを実行することにより、プリント可否判断プログラム４Ｄを実行してプリント不可能と判断した場合に、画像データを検索するための検索情報が生成され、画像データと当該検索情報とがサーバ５００に送信され、ＣＰＵ２が第２送信制御プログラム５０Ｂを実行することにより、操作部１６によって検索情報が入力された場合に、検索情報がサーバ５００に送信され、ＣＰＵ２が後日プリントプログラム５０Ｃを実行することにより、サーバ５００から受信した画像データに基づく画像を第１プリンタ１７又は第２プリンタ１８により記録媒体上にプリントさせ、サーバ５００において、画像データベース５０４Ａに、画像データと検索情報とが関連づけられて記憶され、ＣＰＵ５０２が第３送信制御プログラム５０４Ｂを実行することにより、写真撮影装置４００から検索情報を受信した場合に、検索情報に対応する画像データが画像データベース５０４Ａから検索され、検索された画像データが写真撮影装置４００に送信されるので、画像データベース５０４Ａに記憶された画像データに基づいて再プリントを行うことができることとなって、焼き増しプリントをするためのペーパー等がなくなってしまった場合でも、再度撮影等を行って新たな画像データを得なくとも、画像データベース５０４Ａに記憶された画像データに基づく画像を再度プリントすることができることとなって、より使い勝手のよい写真撮影装置４００を提供できる。
【０１２０】
なお、本実施形態において、画像データは、撮影により得られることとしたが、これに限られるものではなく、例えば、ユーザがデジカメ等で撮影した画像データ等であってもよい。
【図面の簡単な説明】
【０１２１】
【図１】本発明に係る写真撮影装置の概略構成図である。
【図２】本発明の第１の実施形態に係る写真撮影装置の内部構成を示すブロック図である。
【図３】本発明の第１の実施形態に係る写真撮影装置の記憶部の構成を示すブロック図である。
【図４】本発明の第１の実施形態に係る写真撮影装置のプリント動作の一例を説明するためのフローチャートである。
【図５】本発明の第１の実施形態に係る写真撮影装置の画像データベースに記録されている画像データに基づく画像のプリント動作の一例を説明するためのフローチャートである。
【図６】本発明の第２の実施形態に係る写真撮影装置の内部構成を示すブロック図である。
【図７】本発明の第２の実施形態に係る写真撮影装置の記憶部の構成を示すブロック図である。
【図８】本発明の第２の実施形態に係る写真撮影装置のプリント動作の一例を説明するためのフローチャートである。
【図９】本発明の第２の実施形態に係る写真撮影装置のプリント動作の一例を説明するためのフローチャートである。
【図１０】本発明の第３の実施形態に係る写真撮影装置の内部構成を示すブロック図である。
【図１１】本発明の第３の実施形態に係る写真撮影装置の記憶部の構成を示すブロック図である。
【図１２】本発明の第３の実施形態に係るサーバの構成を示すブロック図である。
【図１３】本発明の第３の実施形態に係る写真撮影装置のプリント動作の一例を説明するためのフローチャートである。
【図１４】本発明の第３の実施形態に係る写真撮影装置の画像データベースに記録されている画像データに基づく画像のプリント動作の一例を説明するためのフローチャートである。
【符号の説明】
【０１２２】
２  ＣＰＵ（判断手段，通知手段，徴収手段，プリント制御手段，記憶制御手段，記憶画像プリント制御手段，切換手段，第１送信制御手段，第２送信制御手段，受信画像プリント制御手段）
４Ａ，５０４Ａ  画像データベース（記憶手段）
４Ｄ  プリント可否判断プログラム（判断手段）
４Ｅ  通知プログラム（通知手段）
４Ｆ  コインメック制御プログラム（徴収手段）
４Ｇ  焼き増しプリントプログラム（プリント制御手段）
４Ｈ  画像データ保存プログラム（記憶制御手段）
４Ｉ  後日プリントプログラム（記憶画像プリント制御手段）
４０Ａ  切換プログラム（切換手段）
５０Ａ  第１送信制御プログラム（第１送信制御手段）
５０Ｂ  第２送信制御プログラム（第２送信制御手段）
５０Ｃ  後日プリントプログラム（受信画像プリント制御手段）
１６  操作部（指示手段，入力手段，選択手段）
１７  第１プリンタ（プリント手段，第１プリント手段）
１８  第２プリンタ（プリント手段，第２プリント手段）
１９  第３プリンタ（検索情報プリント手段）
１００，３００，４００  写真撮影装置
２００，５００  サーバ
５０２  ＣＰＵ（第３送信制御手段）
５０４Ｂ  第３送信制御プログラム（第３送信制御手段）
Ｎ  通信ネットワーク（通信回線）
ｓ１  第１センサ（検出手段，第１検出手段）
ｓ２  第２センサ（検出手段，第２検出手段）
【図１】
2007241536.tif 000003
【図２】
2007241536.tif 000004
【図３】
2007241536.tif 000005
【図４】
2007241536.tif 000006
【図５】
2007241536.tif 000007
【図６】
2007241536.tif 000008
【図７】
2007241536.tif 000009
【図８】
2007241536.tif 000010
【図９】
2007241536.tif 000011
【図１０】
2007241536.tif 000012
【図１１】
2007241536.tif 000013
【図１２】
2007241536.tif 000014
【図１３】
2007241536.tif 000015
【図１４】
2007241536.tif 000016